【手続補正書】
【提出日】平成29年7月14日(2017.7.14)
【手続補正１】
【補正対象書類名】明細書
【補正対象項目名】００３６
【補正方法】変更
【補正の内容】
【００３６】
【図１】第１実施形態の電子機器２の機能構成を示すブロック図である。
【図２】第１実施形態の記憶部３２の記憶するデータ構成を示すブロック図である。
【図３】メッセージアイコンの例を示す図である。
【図４Ａ】第１実施形態の電子機器２の表示部１１における表示例を示す図である。
【図４Ｂ】第１実施形態の電子機器２の表示部１１にボタンウィジェット１１４を表示した表示例を示す図である。
【図４Ｃ】第１実施形態の電子機器２の表示部１１にボタンウィジェット１１４をスライドイン／スライドアウトする操作例を示す図である。
【図４Ｄ】第１実施形態の電子機器２の表示部１１に表示される相対位置表示領域１１５の表示例を示す図である。
【図４Ｅ】第１実施形態の電子機器２に対して新たな移動機器の接続があった場合に、第２表示領域１１２にユーザーアイコンが動的に追加配置される表示例を示す図である。
【図４Ｆ】第１実施形態の電子機器２がメッセージを受信した場合に、当該メッセージの第１表示領域１１１における表示例を示す図である。
【図４Ｇ】第１実施形態の電子機器２がテキストメッセージを受信した場合に、当該テキストメッセージの第１表示領域１１１における表示例を示す図である。
【図４Ｈ】第１実施形態の電子機器２がメッセージを送信する場合の画面遷移例を示す図である。
【図４Ｉ】第１実施形態の電子機器２がボイスメールを送信する場合の画面遷移例を示す図である。
【図４Ｊ】第１実施形態の電子機器２の表示部１１における表示例を示す図である。
【図５Ａ】第１実施形態の電子機器２の表示部１１に表示される相対位置表示領域１１５の表示例を示す図である。
【図５Ｂ】第１実施形態の相対位置表示領域１１５に表示される先行車の表示例を示す図である。
【図５Ｃ】第１実施形態の相対位置表示領域１１５に表示される対抗車の表示例を示す図である。
【図５Ｄ】第１実施形態の相対位置表示領域１１５に表示される後続車の表示例を示す図である。
【図５Ｅ】第１実施形態の相対位置表示領域１１５に表示される右前方車の表示例を示す図である。
【図５Ｆ】第１実施形態の相対位置表示領域１１５に表示される左前方車の表示例を示す図である。
【図５Ｇ】第１実施形態の相対位置表示領域１１５の２車線の表示例を示す図である。
【図５Ｈ】第１実施形態の相対位置表示領域１１５の２車線の反対車線における対向車の表示例を示す図である。
【図５Ｉ】第１実施形態の電子機器２の表示部１１に表示される相対位置表示領域１１５をタップすることで、複数の移動機器一覧表示画面に移行する表示例を示す図である。
【図５Ｊ】第１実施形態の第２表示領域１１２におけるユーザーアイコンの相対距離に基づく配置表示例を示す図である。
【図６】第２実施形態の電子機器２の機能構成を示すブロック図である。
【図７Ａ】第２実施形態における第２表示（地図表示）の例を示す図である。
【図７Ｂ】第２実施形態における第２表示（地図表示）に第２ボタンウィジェット１１４Ｂを表示した表示例を示す図である。
【図７Ｃ】第２実施形態における第２表示（地図表示）に第２ボタンウィジェット１１４Ｂをスライドイン／スライドアウトする操作例を示す図である。
【図７Ｄ】第２実施形態における第２表示（地図表示）と第１表示（全画面表示）との切替えに係る操作例を示す図である。
【図７Ｅ】第２実施形態における第２表示（地図表示）において、新たな移動機器の接続があった場合に、地図表示上にメンバーアイコンが動的に追加配置される表示例を示す図である。
【図７Ｆ】第２実施形態における第２表示（地図表示）において、接続されていた移動機器が離脱した場合に、地図表示上にメンバーアイコンが非表示となる例を示す図である。
【図７Ｇ】第２実施形態における第２表示（地図表示）において、テキストメッセージを受信した場合に、当該テキストメッセージの表示例を示す図である。
【図７Ｈ】第２実施形態における第２表示（地図表示）において、メッセージを送信する場合の画面遷移例を示す図である。
【手続補正２】
【補正対象書類名】明細書
【補正対象項目名】０１６６
【補正方法】変更
【補正の内容】
【０１６６】
図７Ａに、第２表示モード制御部４３２による第２表示画面（地図上に自機位置表示を優先する地図表示画面）を示す。
以下に例示する図７Ｂにおいては、ユーザーアイコンとしてメンバーアイコンを表示しているが、メンバーアイコンだけに限定されない。
例えば、ユーザーアイコンとしてユニットアイコンを表示するようにしてもよい。
このように、ユニットグループに属するユーザーについては、ユーザーアイコンとして個々のメンバーアイコンではなく、ユニットアイコンを表示することができる。
全画面表示の場合と同様に、ユーザーの指定により、地図表示画面において、送信者のユーザーアイコンとしてメンバーアイコン、又はユニットアイコンの何れを表示するか、情報設定部４４により、受信側で予め設定することができる。
また、第２ボタンウィジェット１１４Ｂのスワイプ動作によりスライドイン／スライドアウトする際に、スライドイン／スライドアウトを連続して繰り返す回数により、選択設定されるようにすることもできる。例えば、１回の操作でメンバーアイコン表示とし、２回連続して繰り返すことで、ユニットアイコン表示とするようにしてもよい。
【手続補正３】
【補正対象書類名】明細書
【補正対象項目名】０１６９
【補正方法】変更
【補正の内容】
【０１６９】
［第２ボタンウィジェット１１４Ｂ］
図７Ｂに示すように、第２表示モード制御部４３２は、第２表示において、表示部１１上の例えば左側に各種操作ボタンを備えるウィジェット（以下、「第２ボタンウィジェット１１４Ｂ」ともいう）を表示することができる。
図７Ｃに示すように、第２ボタンウィジェット１１４Ｂは、第１表示におけるボタンウィジェット１１４と同様に、例えば、２本の指によるスワイプ操作により、表示部１１にスライドイン／スライドアウトさせることができる。
第２ボタンウィジェット１１４Ｂは、例えば、画面切り替えボタン１１４１Ｂ、メッセージアイコン選択ボタン（「第１アイコン選択ボタン」ともいう）１１４２Ｂ、ボイスメールボタン１１４３、カメラ画像ボタン１１４４等を備えることができる。また、後述するように、第２ボタンウィジェット１１４Ｂの中央の表示領域（以下「ユーザーアイコン表示領域Ｂ」ともいう）に、現在通信可能な移動機器に対応するユーザーアイコンが表示される。
なお、ボイスメールボタン１１４３及びカメラ画像ボタン１１４４は、それぞれ第１表示におけるボタンウィジェット１１４のボイスメールボタン１１４３及びカメラ画像ボタン１１４４と同じであり、説明を省略する。
【手続補正４】
【補正対象書類名】明細書
【補正対象項目名】０１７１
【補正方法】変更
【補正の内容】
【０１７１】
［新たなチャット参加者の表示］
図７Ｅに示すように、第２表示において、第２表示モード制御部４３２は、接続処理部４２により、無線通信部２０を介して、新たな移動機器との通信接続が確立されたことに応答して、第２ボタンウィジェット１１４Ｂのユーザーアイコン表示領域Ｂ上に新たな移動機器に対応するユーザーアイコンを動的に追加配置する。同時に、現在走行中の道路地図上に、新たな移動機器に対応するユーザーアイコンを追加配置する。
【手続補正５】
【補正対象書類名】明細書
【補正対象項目名】０１７２
【補正方法】変更
【補正の内容】
【０１７２】
「チャット参加者の退場］
図７Ｆに示すように、第２表示において、第２表示モード制御部４３２は、接続処理部４２により、無線通信部２０を介して、チャットに参加している移動機器との通信接続が切断されたことに応答して、当該移動機器に対応するユーザーアイコンを除く、チャットに参加している残り全ての移動機器に対応するユーザーアイコンを、第２ボタンウィジェット１１４Ｂのユーザーアイコン表示領域Ｂ上に動的に再配置する。同時に、現在走行中の道路地図上に表示されていた当該移動機器に対応するユーザーアイコンを非表示にする。
なお、図７Ｆに記載の例では、ユーザーアイコン表示領域Ｂ上には、自機（Ｋ）を含めて接続順に表示している。
【手続補正６】
【補正対象書類名】明細書
【補正対象項目名】０１７４
【補正方法】変更
【補正の内容】
【０１７４】
［メッセージ受信］
第２表示において、第２表示モード制御部４３２は、図７Ｇに示すように、メッセージが到着したことを強調するために、受信直後に、所定時間、対応するメッセージアイコンを大きく表示することができる。その後、所定時間経過後に当該メッセージアイコンを通常のサイズに戻す。
【手続補正７】
【補正対象書類名】明細書
【補正対象項目名】０１７８
【補正方法】変更
【補正の内容】
【０１７８】
［メッセージ送信］
次に、図７Ｈを参照しながら、第２表示モードにおけるメッセージ送信処理について説明する。なお、第１表示モードにおけるメッセージ送信処理と同様の構成については、同一の符号を付し、説明を省略する。
【手続補正８】
【補正対象書類名】明細書
【補正対象項目名】０１８６
【補正方法】変更
【補正の内容】
【０１８６】
＜表示モード切替部＞
図７Ｄに示すように、表示部１１に第２表示モード制御部４３２による道路地図上に自機位置表示を優先する地図表示画面が表示されている状態で、第２ボタンウィジェット１１４Ｂをスライドインして、画面切り替えボタン１１４１Ｂをタップ(又はクリック）することで、第１表示モード制御部４３１による表示（全画面表示）に切り替えることができる。
同様に、図７Ｄに示すように、表示部１１に第１表示モード制御部４３１による全画面表示が表示されている状態で、前述したバックキーをタップ(又はクリック）することで、第２表示モードモード制御部４３２による表示（地図表示）に切替えることができる。
【手続補正９】
【補正対象書類名】図面
【補正対象項目名】図７Ｉ
【補正方法】削除
【補正の内容】